(57)【要約】【課題】  選択中のソースに対する操作を優先的に行える機能（優先権）を付与し、ひいては当該ソースに係る情報の表示機能が他の座席での操作入力によって損なわれるのを防止することができる「車載用Ａ／Ｖシステム」を提供すること。【解決手段】  車室内の各座席の近傍にそれぞれ設けられた複数の情報表示手段４１〜４３と、各情報表示手段に対応してそれぞれ設けられた複数の操作入力手段とを具備する車載用Ａ／Ｖシステムにおいて、同じソースの動作状態に係るＡ／Ｖ情報を少なくとも２つの情報表示手段４２，４３で表示している状態で、該情報表示手段のうちいずれか１つに対応する操作入力手段により当該ソースの操作に関しての優先権が取得されたときに、当該優先権の取得に関する情報ＰＲ，ＳＲ３（Ｐ）を複数の情報表示手段４１，４２，４３にそれぞれ選択的に表示させる。【選択図】  図５
2006027579.tif 000002
【特許請求の範囲】
【請求項１】
車室内の各座席の近傍にそれぞれ設けられ、選択されたソースの動作状態に係るオーディオ／ビデオ情報を可聴／可視態様で表示する複数の情報表示手段と、
該複数の情報表示手段の各々に対応して設けられ、ソースに対する各種指令を入力するための複数の操作入力手段とを具備し、
同じソースに係るオーディオ／ビデオ情報を少なくとも２つの情報表示手段で表示している状態で、該少なくとも２つの情報表示手段のうちいずれか１つに対応する操作入力手段により当該ソースの操作に関しての優先権が取得されたときに、当該優先権の取得に関する情報を前記複数の情報表示手段にそれぞれ選択的に表示させるようにしたことを特徴とする車載用オーディオ／ビデオシステム。
【請求項２】
前記複数の操作入力手段の各々は、前記優先権を取得するための優先権設定キーと共に該優先権を解除するための優先権解除キーを備えた操作部と、当該操作入力手段に対応する情報表示手段に対してその表示内容を制御する制御部とを有していることを特徴とする請求項１に記載の車載用オーディオ／ビデオシステム。
【請求項３】
前記複数の操作入力手段の各々は、少なくとも前記各座席毎の選択ソースに関する情報と前記優先権の取得に関する情報を格納しておくためのメモリ部を有していることを特徴とする請求項２に記載の車載用オーディオ／ビデオシステム。
【請求項４】
前記操作部は、さらに、前記各座席毎の選択ソースに関する情報と共に前記優先権の取得に関する情報を選択的に表示させるための表示設定キーを備えていることを特徴とする請求項３に記載の車載用オーディオ／ビデオシステム。
【請求項５】
前記制御部は、前記操作部の表示設定キーの操作に基づき、前記メモリ部に格納されている情報を参照して、対応する前記情報表示手段に対して前記各座席毎の選択ソースに関する情報と前記優先権の取得に関する情報を選択的に表示させることを特徴とする請求項４に記載の車載用オーディオ／ビデオシステム。
【請求項６】
前記複数の操作入力手段のうち車室内のフロント席の近傍に設けられたフロント用操作入力手段の制御部は、該複数の操作入力手段のいずれかにより前記優先権が取得されている場合において、該フロント用操作入力手段における前記優先権解除キーが操作されたときに、当該優先権を強制的に解除することを特徴とする請求項２に記載の車載用オーディオ／ビデオシステム。
【請求項７】
前記複数の操作入力手段のうち車室内のリヤ席の近傍に設けられたリヤ用操作入力手段の制御部は、該リヤ用操作入力手段により前記優先権が取得されている場合において、該リヤ用操作入力手段における前記優先権解除キーが操作されたときに、当該優先権を解除することを特徴とする請求項２に記載の車載用オーディオ／ビデオシステム。
【請求項８】
前記複数の操作入力手段のうち前記優先権を取得した操作入力手段の制御部は、当該操作入力手段により現在選択中のソースから他のソースへの切り替えが行われたとき、又は当該操作入力手段の電源がオフされた後所定の時間が経過したときに、当該優先権を解除することを特徴とする請求項２に記載の車載用オーディオ／ビデオシステム。
【請求項９】
前記複数の操作入力手段のうち車室内のフロント席の近傍に設けられたフロント用操作入力手段の制御部は、リヤ席の近傍に設けられた第１のリヤ用操作入力手段により前記優先権が取得されている場合において、第２のリヤ用操作入力手段から当該優先権に係るソースと同じソースに対する操作の指示を受信したときに、該第２のリヤ用操作入力手段に対して当該操作を無効にする旨の通知を行うことを特徴とする請求項２に記載の車載用オーディオ／ビデオシステム。
【請求項１０】
前記フロント用操作入力手段の制御部は、前記第２のリヤ用操作入力手段に対して当該操作を無効にする旨の通知を行う際に、当該優先権の取得を希望するか否かの問合せを行い、希望する場合に当該優先権の予約登録を行うことを特徴とする請求項９に記載の車載用オーディオ／ビデオシステム。
【発明の詳細な説明】
【技術分野】
【０００１】
本発明は、車載用オーディオ／ビデオ（Ａ／Ｖ）システムに係り、特に、車両の運転席（フロント席）とは別の座席（リヤ席）のユーザに対してもＣＤプレーヤやラジオ受信機等から出力されるオーディオ情報、ＤＶＤプレーヤやＴＶ受信機等から出力されるビデオ情報などのエンターテイメントを提供するリヤ・エンターテイメント・システム（ＲＥＳ：Rear Entertainment System ）を組み込んだ車載用Ａ／Ｖシステムに関する。
【背景技術】
【０００２】
リヤ・エンターテイメント・システムは一般には高級大型車向けに提供されており、このシステムには、リヤ席に搭乗しているユーザがオーディオ／ビデオソースの選択や音量調整等の操作を行うための操作ユニット、選択されたソースから出力されるオーディオ信号に応じたオーディオ音を受聴するためのヘッドホン、同じくソースから出力されるビデオ信号に応じた情報を表示するディスプレイなどが用意されている。操作ユニットの形態としては、ユーザが着座する座席の近傍に各座席毎に１台、あるいは複数のユーザに共用させる形で１台、固定的に設けられた「操作パネル」が多く用いられているが、操作性を高めるためにリモートコントローラ（リモコン）が用いられる場合もある。また、ヘッドホンの形態としては、操作ユニットのパネルの表面に設けられたジャックに接続して使用するタイプのものもあるが、多くの場合、「ワイヤレス」タイプのヘッドホンが用いられている。特に、より高級化された大型車で座席数が多くなってくると、「ワイヤレス」タイプのヘッドホンが使用される傾向にある。
【０００３】
かかるリヤ・エンターテイメント・システムにおいて、リヤ席のユーザが操作ユニットを操作し、ヘッドホン／ディスプレイにどのソースのオーディオ／ビデオ情報を出力させるかを選択指示し、また、ヘッドホン／ディスプレイに出力されているオーディオ／ビデオ情報に係るソースに対して操作指示（シーク・アップ／ダウン、音量調整等）を与えることにより、その指示に基づいて選択もしくは変更されたソースの動作状態が、ヘッドホンを通して受聴され、またディスプレイを通して表示される。フロント側についてもリヤ側と同様に操作ユニットやディスプレイ等を備えているが、ヘッドホンを使用する代わりに、車室内の所定の位置に設置されたスピーカを介してオーディオ情報を出力させる点で相違する。この場合、フロント側の操作ユニットからの選択指示もしくは操作指示が与えられたオーディオ／ビデオソースの動作状態が、スピーカを通して受聴され、またディスプレイを通して表示される。
【０００４】
このようなリヤ・エンターテイメント・システムを組み込んだ車載用Ａ／Ｖシステムでは、リヤ席に搭乗している複数のユーザは、それぞれ専用に設けられたヘッドホン／ディスプレイを通して、同じソースのオーディオ／ビデオ情報を同時に見たり聴いたりすることができる。但し、当該ソースの操作に関しては、当然のことながら複数のユーザが同時に操作することはできない。つまり、ユーザの一人が当該ソースに対して操作指示（シーク・アップ／ダウン、音量調整等）を与えると、その指示に基づいて当該ソースの動作状態が選択もしくは変更され、その影響は、当該ソースに対して何ら操作指示を与えていない他のユーザにも及ぶことになる。
【０００５】
このため、例えば、リヤ席（２列目）のユーザがディスプレイ画面上でビデオを見ていてそのディスプレイをオフし、ある時間が経過した後に再度ディスプレイをオンしたときに、それ以前に他のリヤ席（３列目）のユーザが当該ビデオの電源をオフしたことによって、最初見ていたビデオが終わってしまっていたりする状況が起こり得る。このような状況は、リヤ席のユーザ間のみならず、リヤ席のユーザとフロント席のユーザとの間においても同様に起こり得る。例えば、リヤ席のユーザがＣＤの音楽を聴いているときに、その同じソース（ＣＤプレーヤ）を選択していたフロント席のユーザが、リヤ席でも同じソースを選択していることを知らずに、ＣＤプレーヤの電源をオフしてしまう状況が考えられる。
【０００６】
上記の従来技術に関連する技術としては、例えば、特許文献１に記載されるように、ディスプレイと操作入力装置とを車両の複数の座席にそれぞれ配置した車両用情報表示装置において、特定の座席（フロント席）でのみ必要な情報表示機能が、他の座席（リヤ席）での操作入力等によって損なわれるのを防止するようにしたものがある。
【特許文献１】特開平１０−２８７１８８号公報
【発明の開示】
【発明が解決しようとする課題】
【０００７】
上述したように従来のリヤ・エンターテイメント・システムを組み込んだ車載用Ａ／Ｖシステムでは、各座席のユーザが同じソースのＡ／Ｖ情報を同時に見たり聴いたりすることができるという反面、当該ソースの操作に関しては各ユーザが同時に行うことはできなかったため、ユーザの一人が当該ソースに対して行った操作指示による影響が、当該ソースに対して何ら操作指示を与えていない他のユーザにも及ぶといった不都合があった。
【０００８】
例えば、あるユーザがビデオを見ていてそのディスプレイをオフし、しばらくして再度ディスプレイをオンしたときに、他のユーザによる操作入力（ビデオの電源をオフするなど）によってそのビデオが既に終わってしまっていたり、あるいは、あるユーザがビデオを見ている時に他のユーザによる操作入力によって突然表示がオフされるといった不都合があった。つまり、同じソースについてある座席で表示されている内容が、当該座席のユーザの意向とは関係なく、他の座席での操作入力によって変更されてしまうといった課題があった。
【０００９】
本発明は、かかる従来技術における課題に鑑み創作されたもので、選択中のソースに対する操作を優先的に行える機能（優先権）を付与し、ひいては当該ソースに係る情報の表示機能が他の座席での操作入力によって損なわれるのを防止することができる車載用オーディオ／ビデオ（Ａ／Ｖ）システムを提供することを目的とする。
【００１０】
さらに本発明は、いったん取得した優先権を必要に応じて解除することができる車載用Ａ／Ｖシステムを提供することを目的とする。
【課題を解決するための手段】
【００１１】
上記の従来技術の課題を解決するため、本発明に係る車載用Ａ／Ｖシステムは、車室内の各座席の近傍にそれぞれ設けられ、選択されたソースの動作状態に係るＡ／Ｖ情報を可聴／可視態様で表示する複数の情報表示手段と、該複数の情報表示手段の各々に対応して設けられ、ソースに対する各種指令を入力するための複数の操作入力手段とを具備し、同じソースに係るＡ／Ｖ情報を少なくとも２つの情報表示手段で表示している状態で、該少なくとも２つの情報表示手段のうちいずれか１つに対応する操作入力手段により当該ソースの操作に関しての優先権が取得されたときに、当該優先権の取得に関する情報を前記複数の情報表示手段にそれぞれ選択的に表示させるようにしたことを特徴とする。
【００１２】
本発明に係る車載用Ａ／Ｖシステムによれば、少なくとも２つの情報表示手段で表示されている同じソースの操作に関しての優先権が取得されているかどうかの情報が、複数の情報表示手段においてそれぞれ表示可能となっている。従って、各座席では、当該優先権の取得に関する情報を確認することで、自分が見たり聴いたりしているソースの内容が他の座席での操作入力によって変更されるおそれがあるかどうかを予知することができる。また、自分が見たり聴いたりしているソースと同じソースを選択している他のユーザが優先権をまだ取得していない場合には、自分が優先権を取得した方がよいかどうかの判断が可能となる。このことは、ユーザメリットの向上に寄与する。
【００１３】
このように本発明によれば、選択中のソースに対する操作に関しての優先権を付与することにより、当該ソースに係る情報の表示機能が他の座席での操作入力によって損なわれるのを防ぐことができる。
【００１４】
また、上記の形態に係る車載用Ａ／Ｖシステムにおいて、前記複数の操作入力手段の各々は、少なくとも前記優先権を取得するための優先権設定キー及び該優先権を解除するための優先権解除キーを備えた操作部と、当該操作入力手段に対応する情報表示手段に対してその表示内容を制御する制御部とを有していることを特徴とする。
【００１５】
この形態によれば、各座席に対応して設けられた操作入力手段の操作部に優先権設定キーと共に優先権解除キーを備えているので、当該座席のユーザは、優先権設定キーの操作によって取得した優先権を、必要に応じて優先権解除キーを操作することで、強制的に解除することができる。例えば、リヤ側の異なるユーザ（２列目、３列目）間で同じソースに対する優先権の取得について争いがあった場合に、フロント側で当該優先権を強制解除することで、仲裁の役割を果たすことができる。
【発明を実施するための最良の形態】
【００１６】
以下、本発明の実施の形態について、添付の図面を参照しながら説明する。
【００１７】
図１は本発明の一実施形態に係る車載用オーディオ／ビデオ（Ａ／Ｖ）システムの構成をブロック図の形態で概略的に示したものである。
【００１８】
本実施形態に係る車載用Ａ／Ｖシステム１０は、各種Ａ／Ｖソース（図示の例では、ラジオ受信機１１、ＣＤプレーヤ１２、ＤＶＤプレーヤ１３、ＴＶ受信機１４及びナビゲーションユニット１５）に対してフロント席の搭乗者が操作指示を行うフロント席用操作ユニット（ヘッドユニット（Ｈ／Ｕ））２０と、同じく各種Ａ／Ｖソース（ナビゲーションユニット１５を除く）に対してリヤ席の搭乗者が操作指示を行うリヤ席用操作ユニット３０と、アンプユニット２５と、スピーカ２６と、フロント席用表示ユニット２７と、ワイヤレスヘッドホン３６と、リヤ席用表示ユニット３７とを備えて構成されている。各ソース１１〜１５、各操作ユニット２０，３０、各表示ユニット２７，３７及びアンプユニット２５は、伝送路として供される光ファイバ等のバス１６を介して接続されている。
【００１９】
図示の例では、スピーカ２６は１個のみ示されているが、実際には、車室内のフロント席の近傍とリヤ席の近傍にそれぞれ２個ずつ、計４個のスピーカ２６が設置されている。リヤ側についても同様に、操作ユニット３０、表示ユニット３７及びワイヤレスヘッドホン３６はそれぞれ１個のみ示されているが、実際には、操作ユニット３０及び表示ユニット３７については、車室内に設置されたリヤ席の数（本実施形態では、後述するように２列目及び３列目の各リヤ席）に応じて２個設けられており、ワイヤレスヘッドホン３６については、各リヤ席毎に左右の搭乗者用にそれぞれ２個ずつ、計４個設けられている。
【００２０】
フロント席用操作ユニット２０は、運転者と助手席の搭乗者が共用できるようにフロント席の近傍に「操作パネル」の形態で設置されている。一方、リヤ席用操作ユニット３０は、２列目及び３列目の各リヤ席毎にそれぞれ左右の搭乗者が共用できるように「リモコン」の形態で設けられている。また、フロント席用表示ユニット２７は、センターコンソールのほぼ中間位置に設置されており、フロント席の搭乗者（運転者と助手席の搭乗者）に向けて映像を表示するディスプレイ装置と、その画面の向きを回転させる駆動機構とを備えている。同様にリヤ席用表示ユニット３７についても、当該リヤ席の１つ前の座席のほぼ中間位置に設置されており、当該リヤ席の左右の搭乗者に向けて映像を表示するディスプレイ装置と、その画面の向きを回転させる駆動機構とを備えている。
【００２１】
各Ａ／Ｖソース１１〜１５は、基本的な動作として、各操作ユニット２０，３０からバス１６を介して与えられる操作指示に係るデータを受信し、受信したデータに基づいて自己ソースの動作状態を変更し、その変更した結果（現在の動作状態）を指示するデータをオーディオ／ビデオ信号としてバス１６に送出する。例えば、ラジオ受信機１１の場合、各操作ユニット２０，３０から与えられる操作指示に応答して、ＦＭ放送やＡＭ放送の信号を受信して復調することにより音声信号を生成し、これをデジタルのオーディオデータに変換して、バス１６に送出する。また、ＣＤプレーヤ１２の場合、複数枚のＣＤが装填されており、各操作ユニット２０，３０から与えられる操作指示に応答して、ユーザにより選択されたＣＤの記録面に記録された信号を読み取り、再生されたオーディオデータをバス１６に送出する。
【００２２】
フロント席用操作ユニット２０は、フロント席に搭乗しているユーザが各Ａ／Ｖソース１１〜１５の選択や音量・音質調整等の操作を行うためのものであり、図示のように制御部２１、操作部２２、表示部２３及びメモリ部２４を備えている。このうち、表示部２３は、操作パネル（操作ユニット２０）上にＬＣＤの形態で配置されており、制御部２１から出力されるデータに基づいて、各種情報、例えば、ラジオ受信機１１に関してはＦＭ／ＡＭの種別やその放送局の受信周波数等、ＣＤプレーヤ１２に関してはＣＤ演奏時のディスク番号や再生位置（トラック数、経過時間等）などを表示する。
【００２３】
また、操作部２２は、フロント席のユーザが各ソースに対する各種指令を入力するためのものであり、電源のオン／オフ及び音量調整を行うための電源キー、各ソースを選択するためのソース選択キー、数字キー、矢印が付されたシフトキー（矢印の部分を操作することでＦＦ／ＲＥＷ動作、シーク・アップ／ダウン動作等の操作を指示する）等の他に、本発明に関連する操作キーとして、選択中のソースに対する操作に関しての優先権（すなわち、当該ソースに対する操作を自己ユニットのみが排他的に行えるようにする機能）を取得するための優先権設定キーと、必要に応じてその優先権を強制的に解除するための優先権解除キーと、各座席（フロント席、２列目、３列目の各リヤ席）毎の選択ソースに関する情報及び優先権の取得に関する情報をオン／オフ操作により選択的に表示させるための表示設定キーとを備えている。
【００２４】
優先権設定キーが操作されると、当該ソースに対して他の操作ユニット（この場合、リヤ席用操作ユニット３０）から音量調整やシーク・アップ／ダウン動作等の操作が行われてもその操作は無効化される。また、自己ユニットを含めて他の操作ユニットにおいて優先権設定キーが操作され（優先権の取得）、当該ユニットのみが当該ソースに対する操作を排他的に行えるように設定されている場合であっても、必要に応じてフロント側で優先権解除キーが操作されると、自己ユニットを含めて他の操作ユニットにおいてそれまで取得されていた優先権は強制的に解除される。なお、表示設定キーの機能については後で説明する。
【００２５】
また、メモリ部２４には、フロント席用操作ユニット２０において電源をオフにする旨の指示がなされ、各ソース１１〜１５からのオーディオ／ビデオ信号の出力動作が停止された時点でのオーディオ／ビデオ情報の取得状態を示すデータ（便宜上、「Ａ／Ｖ取得状態データ」という。）が格納されている。このＡ／Ｖ取得状態データは、次の電源オン時に必要に応じて参照するために格納されるものである。このＡ／Ｖ取得状態データには、例えば、各ソース１１〜１５の中でいずれのソースを使用していたかを指示する「ソース種別」、オーディオソースであればそのオーディオ音を聴取していた際の音量や音質の調整値を指示する「音量・音質」、各ソース別の詳細なＡ／Ｖ取得状態を指示する「ソース別詳細情報」等が含まれる。ソース別詳細情報の具体的な内容としては、例えば、ラジオ受信機１１を使用していた場合であれば、ＦＭ／ＡＭの種別や放送局（受信周波数）の情報等が、ＣＤプレーヤ１２を使用していた場合であれば、複数枚装填されているＣＤの中でいずれのＣＤを再生していたかを示すディスク番号や何曲目の頭からどれくらいの時間が経過した位置を再生していたかを示す再生位置の情報等が含まれる。
【００２６】
また、メモリ部２４は、各操作ユニット２０，３０を操作するユーザ、すなわち、そのユーザが着座する座席（フロント席なのか、２列目又は３列目のリヤ席なのか）を固有に識別するためのＩＤ情報を登録し、このＩＤ情報と、各操作ユニット２０，３０のいずれかを用いてオーディオ／ビデオ情報の取得を行った際のＡ／Ｖ取得状態データとを１対１に対応付けて、座席別情報として格納している。この座席別情報は、フロント席用操作ユニット２０を操作したユーザに対応して格納されるものの他に、リヤ席用操作ユニット３０を操作したユーザに対応するデータについても、バス１６を介してフロント席用操作ユニット２０に送信され、メモリ部２４に格納される。さらに、このメモリ部２４には、本発明に関連する情報として、自己の座席を含めて他の座席で選択中のソースに関する情報と優先権の取得に関する情報が格納されている。
【００２７】
また、制御部２１は、フロント席用操作ユニット２０全体の制御を行うものであり、基本的には、フロント席のユーザから操作部２２を介して与えられた操作指示に基づいて、各Ａ／Ｖソース１１〜１５からバス１６を介して送られてくるＡ／Ｖデータを取得してＡ／Ｖ情報の再生を行う動作、操作状況等を指示する情報を表示部２３に表示させる動作、Ａ／Ｖ取得状態データの格納動作や読み出し動作等の制御を行う。この場合、取得されたオーディオデータは、制御部２１によりバス１６を介してアンプユニット２５に送られ、適宜デジタル／アナログ（Ｄ／Ａ）変換され、また音量や音質等の制御が行われ、増幅された後、各スピーカ２６からオーディオ音として出力される。また、取得されたビデオデータは、制御部２１によりバス１６を介してフロント席用表示ユニット２７に送られ、そのディスプレイ画面上にビデオ情報として表示される。さらに、この制御部２１は、後述するように本発明に関連する処理として、フロント席用表示ユニット２７に対し、ソースの操作に係る表示内容及びソースの操作に関しての優先権の取得に係る表示内容を制御する機能を有している。
【００２８】
一方、リヤ席用操作ユニット３０は、リヤ席に搭乗しているユーザが各Ａ／Ｖソース１１〜１４の選択や音量・音質調整等の操作を行うためのものであり、図示のように制御部３１、操作部３２、表示部３３、ＲＦ送信部３４（アンテナ３４ａを含む）及びメモリ部３５を備えている。このうち、ＲＦ送信部３４は、制御部３１からの制御に基づいて、各Ａ／Ｖソース１１〜１４からバス１６を介して取得したオーディオ／ビデオデータを、アンテナ３４ａを介してワイヤレスヘッドホン３６に送信するものである。制御部３１、操作部３２、表示部３３及びメモリ部３５の構成及びその機能（動作）については、それぞれフロント席用操作ユニット２０における制御部２１、操作部２２、表示部２３及びメモリ部２４の場合と基本的に同じであるので、その説明は省略する。
【００２９】
但し、リヤ側の制御部３１は、リヤ席用表示ユニット３７に対してソースの操作に係る表示内容及びソースの操作に関しての優先権の取得に係る表示内容を制御するにあたり、フロント側の制御部２１の管理の下に所要の制御を行う。すなわち、フロント側の制御部２１を「主」とすると、リヤ側の制御部３１は「従」の関係にある。また、リヤ側のメモリ部３５には、フロント側のメモリ部２４に格納される「座席別情報」は格納されていない。さらに、リヤ側の操作部３２に設けられる優先権解除キーは、フロント側の操作部２２に設けられる優先権解除キーとは機能的に若干異なり、自己の操作ユニットにおいて優先権設定キーが操作された場合にのみ有効である。例えば、２列目のリヤ席の操作ユニット３０において優先権設定キーが操作された場合（優先権の取得）、この優先権は、３列目のリヤ席の操作ユニット３０において優先権解除キーを操作しても解除することはできず、この優先権を解除できるのは、当該２列目の操作ユニット３０において優先権解除キーを操作した場合、あるいはフロント側の操作ユニット２０において優先権解除キーを操作した場合に限られる。
【００３０】
以上のように構成された車載用Ａ／Ｖシステム１０において、フロント側及びリヤ側の各操作ユニット２０，３０は「操作入力手段」に、フロント側及びリヤ側の各表示ユニット２７，３７とスピーカ２６及びワイヤレスヘッドホン３６は「情報表示手段」に、それぞれ対応している。
【００３１】
図２は、フロント側において、制御部２１からの制御に基づき表示ユニット２７のディスプレイ画面４１上に、操作部２２からの入力操作に基づき選択されたＡ／Ｖソースの動作状態に係るＡ／Ｖ情報（図示の例では、ラジオ受信機１１のＦＭ放送に係る情報）を表示しているときの画面表示例を示したものである。この画面表示自体は、従来の表示態様と同じである。
【００３２】
図３は、フロント側及びリヤ側（２列目）において、それぞれ制御部２１，３１からの制御に基づき表示ユニット２７，３７の各ディスプレイ画面４１，４２上に、それぞれ操作部２２，３２からの入力操作に基づき選択されたＡ／Ｖソースの動作状態に係るＡ／Ｖ情報（図示の例では、フロント側にはラジオ受信機１１のＦＭ放送に係る情報、リヤ側にはＤＶＤプレーヤ１３のビデオ情報）を表示すると共に、他の座席で選択中のＡ／Ｖソースに関する情報を表示しているときの画面表示例を示したものである。図示の例では、フロント側のディスプレイ画面４１にはリヤ側のソースである「ＤＶＤ」を指示する情報ＳＲ２が、リヤ側のディスプレイ画面４２にはフロント側のソースである「ＦＭラジオ」を指示する情報ＳＲ１が、それぞれ表示されている。この場合、他の座席で選択中のソースに関する情報ＳＲ１，ＳＲ２については、それぞれリヤ席（２列目）のユーザ、フロント席のユーザが認識し易いように、相対的に目立つ表示態様で（例えば、他の部分と異なる色で）表示するのが望ましい。かかる表示態様とすることにより、各座席のユーザは、それぞれ他の座席のユーザが自分と同じソースを見たり聴いたりしているのかどうかを把握することができる。
【００３３】
図４は、フロント側及び各リヤ側（２列目、３列目）において、それぞれ制御部２１，３１（２列目、３列目）からの制御に基づき表示ユニット２７，３７（２列目、３列目）の各ディスプレイ画面４１，４２，４３上に、それぞれ操作部２２，３２（２列目、３列目）からの入力操作に基づき選択されたＡ／Ｖソースの動作状態に係るＡ／Ｖ情報（図示の例では、フロント側にはラジオ受信機１１のＦＭ放送に係る情報、各リヤ側（２列目、３列目）にはそれぞれＤＶＤプレーヤ１３のビデオ情報）を表示すると共に、他の座席で選択中のソースに関する情報を表示しているときの画面表示例を示したものである。図示の例では、フロント側のディスプレイ画面４１には各リヤ側のソースである「ＤＶＤ」をそれぞれ指示する情報ＳＲ２及びＳＲ３が、２列目のディスプレイ画面４２にはフロント側のソースである「ＦＭラジオ」を指示する情報ＳＲ１及び３列目のソースである「ＤＶＤ」を指示する情報ＳＲ３が、３列目のディスプレイ画面４３にはフロント側のソースである「ＦＭラジオ」を指示する情報ＳＲ１及び２列目のソースである「ＤＶＤ」を指示する情報ＳＲ２が、それぞれ表示されている。この場合も同様に、他の座席で選択中のソースに関する情報ＳＲ１，ＳＲ２，ＳＲ３については、それぞれ当該座席のユーザが認識し易いように相対的に目立つ表示態様で表示するのが望ましい。
【００３４】
図５は、図４に示した画面表示の状態で、同じソースである「ＤＶＤ」を共に選択している各リヤ側（２列目、３列目）のユーザのうち、３列目のユーザが当該ソースの操作に関しての優先権を取得したときの画面表示例を示したものである。図示の例では、フロント側のディスプレイ画面４１と２列目のディスプレイ画面４２にはそれぞれ３列目のユーザが当該優先権を取得している旨を指示する情報ＳＲ３（Ｐ）が、３列目のディスプレイ画面４３には自己のユニットにおいて当該優先権を取得した旨を指示する情報ＰＲが、それぞれ表示されている。この場合も同様に、当該優先権の取得を指示する情報ＰＲ，ＳＲ３（Ｐ）については、それぞれ当該座席のユーザが認識し易いように相対的に目立つ表示態様で（例えば、他の部分と異なる色、もしくは点滅態様で）表示するのが望ましい。
【００３５】
図６は、各座席（フロント席、２列目、３列目の各リヤ席）毎の選択ソースに関する情報及び優先権の取得に関する情報の選択表示に係る画面表示例を示したものである。図示の選択表示は、各操作ユニット２０，３０の操作部２２，３２に設けられた表示設定キーのオン（ＯＮ）／オフ（ＯＦＦ）操作に基づいて行われる。例えば、フロント側については（図６（ａ）参照）、２列目と３列目の選択ソースに関する情報の表示設定は「ＯＮ」で、優先権の取得に関する情報の表示設定は「ＯＦＦ」となっているので、ディスプレイ画面４１には当該選択ソースに関する情報ＳＲ２，ＳＲ３のみが表示されている。また、２列目については（図６（ｂ）参照）、選択ソースに関する情報の表示設定は３列目のみが「ＯＮ」で、優先権の取得に関する情報の表示設定は「ＯＮ」となっているので、ディスプレイ画面４２には当該選択ソースに関する情報ＳＲ３と共に当該優先権の取得に関する情報ＳＲ３（Ｐ）が表示されている。同様に３列目についても（図６（ｃ）参照）、選択ソースに関する情報の表示設定は２列目のみが「ＯＮ」で、優先権の取得に関する情報の表示設定は「ＯＮ」となっているので、ディスプレイ画面４３には当該選択ソースに関する情報ＳＲ２と共に当該優先権の取得に関する情報ＰＲが表示されている。
【００３６】
以下、本実施形態に係る車載用Ａ／Ｖシステム１０において行うソースの操作に係る表示制御及びソースの操作に関しての優先権の取得に係る表示制御の処理について、その処理フローの一例を示す図７及び図８を参照しながら説明する。
【００３７】
なお、図７のステップＳ２以降の処理、及び図８のステップＳ１２以降の処理については、便宜上、フロント側の操作ユニット２０を主体として説明する。また、前提条件として、車載用Ａ／Ｖシステム１０は電源が「オン」の状態（イグニションキーがＡＣＣの位置）にあるものとする。
【００３８】
先ず、図７を参照すると、最初のステップＳ１では、各座席（フロント席、２列目、３列目）毎に選択されたソースの動作状態に係るＡ／Ｖ情報を表示する。
【００３９】
例えば、フロント側の操作ユニット２０において制御部２１により、フロント席のユーザによる操作部２２を介しての入力操作により任意のソースが選択されたことを検出し、さらに、この選択指示に基づいて当該ソースから送られてくるＡ／Ｖデータを取得し、その再生処理など必要な制御を行った後、アンプユニット２５を介して各スピーカ２６からオーディオ音として出力させ、また表示ユニット２７のディスプレイ画面上にビデオ情報として表示させる。同様にして各リヤ側（２列目、３列目）の操作ユニット３０において制御部３１により、それぞれ操作部３２（リモコン）を介しての入力操作により任意のソースが選択されたことを検出し、各選択指示に基づいて当該ソースから取得したＡ／Ｖ情報をヘッドホン３６から出力させ、また表示ユニット３７のディスプレイ画面上に表示させる。図４に示した画面表示例では、フロント席のディスプレイ画面４１には「ラジオ受信機１１のＦＭ放送に係る情報」が、各リヤ側（２列目、３列目）のディスプレイ画面４２，４３には「ＤＶＤプレーヤ１３のビデオ情報」が、それぞれ表示されている。
【００４０】
また、各選択ソースの動作状態に係るＡ／Ｖ情報を表示する際、各操作ユニット２０，３０においてそれぞれ制御部２１，３１がメモリ部２４，３５に格納されている情報を参照して、各ディスプレイ画面４１，４２，４３上に、他の座席で選択中のソースに関する情報ＳＲ１，ＳＲ２，ＳＲ３（図４参照）も併せて表示する。
【００４１】
次のステップＳ２では、フロント側の操作ユニット２０において制御部２１により、リヤ側（２列目、３列目）の各操作ユニット３０における制御部３１とそれぞれ協働して、リヤ側のいずれかのソース（この場合、ＤＶＤプレーヤ１３）に対して操作のアクセスがあった（ＹＥＳ）か否（ＮＯ）かを判定する。判定結果がＹＥＳの場合には次のステップＳ３に進み、判定結果がＮＯの場合には本処理フローは「終了」となる。
【００４２】
次のステップＳ３では、フロント側の操作ユニット２０において制御部２１により、メモリ部２４に格納されている情報（各座席毎の選択ソースに関する情報、優先権の取得に関する情報）を参照して、操作のアクセスがあったソースについて優先権が設定されている（ＹＥＳ）か否（ＮＯ）かを判定する。判定結果がＹＥＳの場合には次のステップＳ４に進み、判定結果がＮＯの場合にはステップＳ５に進む。
【００４３】
次のステップＳ４では、フロント側の操作ユニット２０において制御部２１により、同様にメモリ部２４に格納されている情報を参照して、その優先権は当該アクセス者（この場合、２列目の操作ユニット３０又は３列目の操作ユニット３０）に対して設定されたもの（ＹＥＳ）か否（ＮＯ）かを判定する。判定結果がＹＥＳの場合には次のステップＳ５に進み、判定結果がＮＯの場合にはステップＳ６に進む。
【００４４】
ステップＳ５では（操作のアクセスがあったソースについて優先権が設定されていない場合、又は当該ソースについての優先権が当該アクセス者に対して設定されたものである場合）、フロント側の操作ユニット２０（制御部２１）から当該アクセス者に対して当該操作を許可する旨の通知を行う。これによって、当該アクセス者（例えば、３列目のユーザ）は、当該ソースに対する操作を自由に、又は優先的に行うことができる。この後、本処理フローは「終了」となる。
【００４５】
一方、ステップＳ６では（操作のアクセスがあったソースについての優先権が当該アクセス者に対して設定されたものでない場合）、フロント側の操作ユニット２０（制御部２１）から当該アクセス者に対して当該操作を無効にする旨の通知を行う。これによって、当該アクセス者（例えば、２列目のユーザ）が当該ソース（ＤＶＤプレーヤ１３）に対して操作を行おうとしても、その操作は無効化される。つまり、他のユーザ（この場合、３列目のユーザ）に対して設定されている当該優先権が解除されない限り、２列目のユーザは当該ソースに対して操作を行うことができない。この後、本処理フローは「終了」となる。
【００４６】
なお、上記の処理フローにおいてステップＳ２→Ｓ３→Ｓ４→Ｓ５の処理は、通常、リヤ側（２列目、３列目）の各操作ユニット３０において操作部３２（表示設定キー）により、優先権の取得に関する情報の表示設定がオフ（ＯＦＦ）の状態とされている場合に行われる。その表示設定がオン（ＯＮ）の状態にあれば、リヤ側（２列目、３列目）の各ユーザは、他のユーザが自分と同じソースについて優先権を取得していればその状況が把握できるので（図６参照）、わざわざ当該ソースに対して操作のアクセスを行わないからである。
【００４７】
次に、図８を参照すると、最初のステップＳ１１では、ステップＳ１（図７）で行った処理と同様にして、各座席（フロント席、２列目、３列目）毎にそれぞれディスプレイ画面４１，４２，４３上に（図４参照）、選択されたソースの動作状態に係る情報を表示すると共に、他の座席で選択中のソースに関する情報ＳＲ１，ＳＲ２，ＳＲ３も併せて表示する。
【００４８】
次のステップＳ１２では、フロント側の操作ユニット２０において制御部２１が、リヤ側（２列目、３列目）の各操作ユニット３０における制御部３１とそれぞれ協働して、リヤ側のいずれかのソース（この場合、ＤＶＤプレーヤ１３）に対して優先権取得操作のアクセスがあった（ＹＥＳ）か否（ＮＯ）かを判定する。判定結果がＹＥＳの場合には次のステップＳ１３に進み、判定結果がＮＯの場合には本処理フローは「終了」となる。
【００４９】
次のステップＳ１３では、フロント側の操作ユニット２０において制御部２１により、メモリ部２４に格納されている情報（各座席毎の選択ソースに関する情報、優先権の取得に関する情報）を参照して、優先権取得操作のアクセスがあったソースについて優先権が設定されている（ＹＥＳ）か否（ＮＯ）かを判定する。判定結果がＹＥＳの場合には次のステップＳ１４に進み、判定結果がＮＯの場合にはステップＳ１５に進む。
【００５０】
次のステップＳ１４では、フロント側の操作ユニット２０において制御部２１により、同様にメモリ部２４に格納されている情報を参照して、その優先権は当該アクセス者（この場合、２列目の操作ユニット３０又は３列目の操作ユニット３０）に対して設定されたもの（ＹＥＳ）か否（ＮＯ）かを判定する。判定結果がＹＥＳの場合には次のステップＳ１５に進み、判定結果がＮＯの場合にはステップＳ１７に進む。
【００５１】
ステップＳ１５では（優先権取得操作のアクセスがあったソースについて優先権が設定されていない場合、又は当該ソースについての優先権が当該アクセス者に対して設定されたものである場合）、フロント側の操作ユニット２０（制御部２１）から当該アクセス者に対して当該優先権取得操作を許可する旨の通知を行う（優先権設定）。これによって、当該アクセス者は、当該ソースの操作に関しての優先権を取得することができる。
【００５２】
なお、上記の処理フローにおいてステップＳ１２→Ｓ１３→Ｓ１４→Ｓ１５の処理は、通常、リヤ側の各操作ユニット３０において表示設定キーにより、優先権の取得に関する情報の表示設定がオフ（ＯＦＦ）の状態とされている場合に行われる。もしその表示設定がオン（ＯＮ）の状態にあれば、リヤ側の各ユーザは、他のユーザが自分と同じソースについて既に優先権を取得しているかどうかを把握できるので（図６参照）、わざわざ当該ソースに対して優先権取得操作のアクセスを行わないからである。従って、優先権を既に取得しているユーザが、表示設定をオフ（ＯＦＦ）の状態にしたまま、当該ソースに対して再度優先権取得操作のアクセスを行う場合もあり得る。よって、本ステップでは優先権の再設定も行われる。
【００５３】
次のステップＳ１６では、図５の画面表示例に示したように、各座席（フロント席、２列目、３列目）毎にそれぞれディスプレイ画面４１，４２，４３上に、当該優先権の取得に関する情報（図示の例では、ＳＲ３（Ｐ）、ＰＲ）を表示する。この後、本処理フローは「終了」となる。
【００５４】
一方、ステップＳ１７では（優先権取得操作のアクセスがあったソースについての優先権が当該アクセス者に対して設定されたものでない場合）、フロント側の操作ユニット２０（制御部２１）から当該アクセス者に対して当該優先権取得操作を無効にする旨の通知を行う。これによって、当該アクセス者（例えば、２列目のユーザ）は、他のユーザ（この場合、３列目のユーザ）に対して設定されている当該優先権が解除されない限り、当該ソース（ＤＶＤプレーヤ１３）に対して操作を行うことができない。この後、本処理フローは「終了」となる。
【００５５】
以上説明したように、本実施形態に係る車載用Ａ／Ｖシステム１０によれば、フロント側及び各リヤ側（２列目、３列目）の操作ユニット２０，３０において操作部２２，３２の各表示設定キーを表示設定：オン（ＯＮ）の状態にすることにより（図６参照）、各座席では、自分が見たり聴いたりしているソースの内容が他の座席での操作入力によって突然切り替えられるかどうかを予知することができる。また、各座席のユーザは、他の座席のユーザが自分と同じソースを見たり聴いたりしているのかどうかを把握できるので、自分が優先権を取得した方がよいかどうかの判断が可能となる。このことは、ユーザメリットの向上に寄与する。
【００５６】
また、図７及び図８に例示した処理フローの中では特に示していないが、各操作ユニット２０，３０の操作部２２，３２に設けた優先権解除キーを適宜操作することで、当該優先権を強制的に解除することができる。例えば、図７においてステップＳ３（ＹＥＳ）の直後の段階、図８においてステップＳ１３（ＹＥＳ）の直後の段階、あるいはステップＳ１５の後の段階で、各操作部２２，３２の優先権解除キーを操作することにより当該優先権は解除される。本実施形態では、フロント側の操作ユニット２０において優先権解除キーを操作したときは、自己ユニット２０も含めてリヤ側の操作ユニット３０のいずれかにより取得された優先権を強制的に解除することができる。また、リヤ側の操作ユニット３０において優先権解除キーを操作したときは、当該操作ユニット３０において取得された優先権を解除することができる。このようにフロント側では必要に応じて優先権の強制解除が行えるため、例えば、２列目と３列目の間で同じソースに対する優先権の取得について争いがあった場合に、その仲裁の役割を果たすことができる。
【００５７】
また、優先権を解除するトリガとしては、上記の優先権解除キーの操作以外にも、例えば、優先権を取得している操作ユニット２０（３０）において現在選択中のソースから他のソースへの切り替え操作が行われたとき、あるいは、イグニションキーの抜き取り等により当該操作ユニット２０（３０）の電源がオフされた後所定の時間が経過したときに、当該優先権を解除するようにしてもよい。
【００５８】
また、上述した実施形態では、３列目の操作ユニット３０において優先権が取得されている場合において２列目の操作ユニット３０から当該優先権に係るソース（ＤＶＤプレーヤ１３）と同じソースに対して操作のアクセス又は優先権取得操作のアクセスがあったときに、当該操作又は優先権取得操作の無効通知を行い、これによって２列目のユーザが当該ソースに対して操作を行うことができないようにしている。しかし、このままでは、２列目のユーザにとって不便である（つまり、ユーザメリットが損なわれる）。
【００５９】
そこで、優先権の予約登録を行うことが考えられる。例えば、フロント側から２列目のユーザに対する操作無効通知の際に、現在は他のユーザが優先権をもっているが、これが解除された時にその優先権の取得を希望するか否かを問い合わせ、２列目のユーザが希望したときは、制御部２１からの制御に基づいてメモリ部２４に、当該ソースに係る優先権の予約登録をした旨の情報を格納する。そして、３列目のユーザに対する優先権が解除されたときに、メモリ部２４に格納されている当該情報を参照して、２列目の操作ユニット３０に対し、当該優先権を付与する旨の通知を行う。これによって、２列目のユーザは、当該ソースに対する操作を優先的に行うことができる。
【図面の簡単な説明】
【００６０】
【図１】本発明の一実施形態に係る車載用オーディオ／ビデオ（Ａ／Ｖ）システムの構成を概略的に示すブロック図である。
【図２】ソースの選択に係る画面表示例（その１）を示す図である。
【図３】ソースの選択に係る画面表示例（その２）を示す図である。
【図４】ソースの選択に係る画面表示例（その３）を示す図である。
【図５】ソースの操作に関しての優先権を取得したときの画面表示例を示す図である。
【図６】各座席（フロント席、２列目、３列目の各リヤ席）毎の選択ソースに関する情報及び優先権の取得に関する情報の選択表示に係る画面表示例を示す図である。
【図７】図１の車載用Ａ／Ｖシステムにおいて行うソースの操作に係る表示制御の処理の一例を示すフロー図である。
【図８】図１の車載用Ａ／Ｖシステムにおいて行うソースの操作に関しての優先権の取得に係る表示制御の処理の一例を示すフロー図である。
【符号の説明】
【００６１】
１０…車載用オーディオ／ビデオ（Ａ／Ｖ）システム、
１１〜１５…Ａ／Ｖソース、
１６…バス（伝送路）、
２０…フロント席用操作ユニット（Ｈ／Ｕ）、
２１，３１…制御部、
２２，３２…操作部、
２４，３５…メモリ部、
２６…スピーカ、
２７…フロント席用表示ユニット、
３０…リヤ席用操作ユニット、
３６…ワイヤレスヘッドホン、
３７…リヤ席用表示ユニット、
４１〜４３…ディスプレイ画面、
ＳＲ１〜ＳＲ３…他の座席で選択中のＡ／Ｖソースに関する情報、
ＰＲ，ＳＲ３（Ｐ）…優先権の取得を指示する情報。
【図１】
2006027579.tif 000003
【図２】
2006027579.tif 000004
【図３】
2006027579.tif 000005
【図４】
2006027579.tif 000006
【図５】
2006027579.tif 000007
【図６】
2006027579.tif 000008
【図７】
2006027579.tif 000009
【図８】
2006027579.tif 000010